【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
第１パラメータを有するコントローラモデルを実行するための第１データプロセッサと、
第２パラメータを有し、前記コントローラモデルによって制御されるプラントモデルを実行するための第２データプロセッサと、
前記第１パラメータおよび前記第２パラメータにアクセスできるユーザーインタフェースプロセッサとを有するシステムにおいて、
前記コントローラモデルをシミュレーションする第１ステップと、
前記プラントモデルをシミュレーションする第２ステップと、
前記ユーザーインタフェースプロセッサをシミュレーションする第３ステップと、
トリガイベントに対応して前記ユーザーインタフェースプロセッサを通して前記コントローラモデルおよび前記プラントモデルの実行を一時停止する第４ステップと、
前記第４ステップの間に、前記コントローラモデルまたは前記プラントモデルのステータスを、前記第１パラメータまたは前記第２パラメータを変更することなく、前記ユーザーインタフェースプロセッサを通して決定する第５ステップと、
を備える、前記システムをシミュレーションするための方法。
【請求項２】
前記トリガイベントが、前記第２パラメータの条件を含む、請求項１に記載の方法。
【請求項３】
前記第１パラメータが、前記コントローラモデルの出力パラメータであり、
前記トリガイベントが、前記第１パラメータの条件を含む、請求項１に記載の方法。
【請求項４】
前記第１パラメータが、前記コントローラモデルの内部パラメータであり、
前記トリガイベントが、前記第１パラメータの条件を含む、請求項１に記載の方法。
【請求項５】
前記トリガイベントが、前記ユーザーインタフェースプロセッサの条件セットを含む、請求項１に記載の方法。
【請求項６】
前記トリガイベントが、グラフィックアルゴリズムによって前記ユーザーインタフェースプロセッサに設定される、請求項５に記載の方法。
【請求項７】
前記コントローラモデルと前記プラントモデルの実行速度を、前記ユーザーインタフェースプロセッサを通して制御する第６ステップをさらに備える、請求項１に記載の方法。
【請求項８】
第１パラメータを有するコントローラモデルをシミュレーションするための手段と、
第２パラメータを有し、前記コントローラモデルによって制御されるプラントモデルをシミュレーションするための手段と、
前記第１パラメータおよび前記第２パラメータにアクセスできるユーザーインタフェースプロセッサをシミュレーションするための手段と、
トリガイベントに対応して、前記ユーザーインタフェースプロセッサを通して、前記コントローラモデルまたは前記プラントモデルの実行を一時停止するための手段と、
前記一時停止の間に、前記コントローラモデルまたは前記プラントモデルのステータスを、前記第１パラメータまたは前記第２パラメータを変更することなく、前記ユーザーインタフェースプロセッサを通して決定するための手段と、
を備える、マイクロコンピュータをベースにしたシステムをシミュレーションするための装置。
【請求項９】
前記トリガイベントが、前記第２パラメータの条件を含む、請求項８に記載の装置。
【請求項１０】
前記第１パラメータが、前記コントローラモデルの出力パラメータであり、
前記トリガイベントが、前記第１パラメータの条件を含む、請求項８に記載の装置。
【請求項１１】
前記第１パラメータが、前記コントローラモデルの内部パラメータであり、
前記トリガイベントが、前記第１パラメータの条件を含む、請求項８に記載の装置。
【請求項１２】
前記トリガイベントを設定するための手段を前記ユーザーインタフェースプロセッサ内に備える、請求項８に記載の装置。
【請求項１３】
前記トリガイベントを設定するためのグラフィカルな手段を前記ユーザーインタフェースプロセッサ内に備える、請求項８に記載の装置。
【請求項１４】
第１パラメータを有するコントローラモデルを実行する第１データプロセッサと、
第２パラメータを有し、前記コントローラモデルによって制御されるプラントモデルを実行する第２データプロセッサと、
前記第１パラメータおよび前記第２パラメータにアクセスできるシミュレーションコントローラとを有するシステムにおいて、
前記コントローラモデルをシミュレーションする第１ステップと、
前記プラントモデルをシミュレーションする第２ステップと、
前記シミュレーションコントローラを通して前記コントローラモデルおよび前記プラントモデルの動作をシミュレーションする第３ステップと、
前記第３ステップの間に前記シミュレーションコントローラによって前記第１パラメータまたは前記第２パラメータを反復して最適化する第４ステップと、
を備える、前記システムをシミュレーションするための方法。
【請求項１５】
前記第４ステップがルックアップテーブルに含まれる値を最適化する、請求項１４に記載の方法。
【請求項１６】
第１パラメータを有するコントローラモデルを実行する第１プロセッサと、
第２パラメータを有し、前記コントローラモデルによって制御されるプラントモデルを実行する第２プロセッサと、
前記第１パラメータおよび前記第２パラメータにアクセスできるシミュレーションコントローラとを有するシステムにおいて、
前記コントローラモデルをシミュレーションする第１ステップと、
前記プラントモデルをシミュレーションする第２ステップと、
前記シミュレーションコントローラを通して、前記コントロ−ラモデルと前記プラントモデルの動作をシミュレーションする第３ステップと、
前記第１パラメータおよび前記第２パラメータを事前に設定された値と比較する第４ステップと、
を備える、前記システムをシミュレーションするための方法。
【請求項１７】
前記事前に設定された値がシステム仕様を含む、請求項１６に記載の方法。
【請求項１８】
第１パラメータを有するコントローラモデルを実行する第１プロセッサと、
第２パラメータを有し、前記コントローラモデルによって制御されるプラントモデルを実行する第２プロセッサと、
前記第１パラメータおよび前記第２パラメータにアクセスできるユーザーインタフェースプロセッサとを有するシステムにおいて、
前記コントローラモデルをシミュレーションする第１ステップと、
前記プラントモデルをシミュレーションする第２ステップと、
前記ユーザーインタフェースプロセッサをシミュレーションする第３ステップと、
トリガイベント時に、前記コントローラモデルまたは前記プラントモデルのステータスを、前記第１パラメータまたは前記第２パラメータを変更することなく、前記ユーザーインタフェースプロセッサを通して決定する第４ステップと、
を備える、前記システムをシミュレーションするための方法。
【請求項１９】
前記第１パラメータおよび前記第２パラメータをディスプレイデバイスに表示するステップを備える、請求項１８に記載の方法。
【請求項２０】
前記トリガイベントが、前記第２パラメータの条件を含む、請求項１８に記載の方法。
【請求項２１】
前記第１パラメータが、前記コントローラモデルの出力パラメータであり、
前記トリガイベントが、前記第１パラメータの条件を含む、請求項１８に記載の方法。
【請求項２２】
前記第１パラメータが、前記コントローラモデルの内部パラメータであり、
前記トリガイベントが、前記第１パラメータの条件を含む、請求項１８に記載の方法。
【請求項２３】
前記トリガイベントが前記ユーザーインタフェースプロセッサの条件セットを含む、請求項１８に記載の方法。